(57)【要約】【課題】不正な行為に基づく振動の検出でないにも拘わらず報知がなされてしまうといった誤報知を確実に回避することができる遊技機を提供する。【解決手段】遊技領域を有する遊技機本体１と、該遊技機本体１の遊技領域前面を覆うとともに開閉可能に配設された前枠３と、鍵Ｋを挿入し得る鍵穴７ａを有するとともに、前枠３を遊技機本体１に対して施錠及び解錠し得る施錠手段７と、遊技機本体１に付与された振動を検出する振動検出手段８と、振動検出手段８による検出に基づき所定の報知を行う報知手段とを具備したパチンコ遊技機において、施錠手段７の鍵穴７ａへの鍵Ｋの挿入状態を検知する鍵検知手段９と、該鍵検知手段９にて鍵Ｋの挿入状態が検知されている間に限り、報知手段による報知を禁止する禁止手段１６とを備えたものである。【選択図】図６
2007151792.tif 000002
【特許請求の範囲】
【請求項１】
遊技領域を有する遊技機本体と、
該遊技機本体の遊技領域前面を覆うとともに開閉可能に配設された前枠と、
鍵を挿入し得る鍵穴を有するとともに、前記前枠を前記遊技機本体に対して施錠及び解錠し得る施錠手段と、
前記遊技機本体に付与された振動を検出する振動検出手段と、
前記振動検出手段による検出に基づき所定の報知を行う報知手段と、
を具備した遊技機において、
前記施錠手段の鍵穴への鍵の挿入状態を検知する鍵検知手段と、
該鍵検知手段にて鍵の挿入状態が検知されている間に限り、前記報知手段による報知を禁止する禁止手段と、
を備えたことを特徴とする遊技機。
【請求項２】
前記鍵検知手段は、鍵穴に挿入された鍵を非接触にて検知する非接触型センサから成ることを特徴とする請求項１記載の遊技機。
【請求項３】
前記鍵検知手段による鍵の挿入状態の検知がなくなった時点からの経過時間を測定するタイマ手段を具備するとともに、該タイマ手段が所定時間の経過を測定するまで前記禁止手段による報知の禁止を継続させることを特徴とする請求項１又は請求項２記載の遊技機。
【請求項４】
前記遊技機本体前の遊技者の有無を検知する遊技者検知手段を具備するとともに、前記鍵検知手段による鍵の挿入状態が検知されず、且つ、当該遊技者検知手段による遊技者の検知がある場合に限り、前記報知手段による報知がなされることを特徴とする請求項１〜請求項３の何れか１つに記載の遊技機。
【請求項５】
遊技領域を有する遊技機本体と、
該遊技機本体の遊技領域前面を覆うとともに開閉可能に配設された前枠と、
鍵を挿入し得る鍵穴を有するとともに、前記前枠を前記遊技機本体に対して施錠及び解錠し得る施錠手段と、
前記遊技機本体に付与された振動を検出する振動検出手段と、
該振動検出手段による検出に基づき所定の報知を行う報知手段と、
を具備した遊技機において、
前記遊技機本体外部からの指示信号を受信し得る受信手段と、
該受信手段で受信した指示信号に基づき、前記振動検出手段を有効状態又は無効状態に切り替える切替手段と、
を備え、当該切替手段にて振動検出手段が無効状態とされている間に限り、前記報知手段による報知を禁止することを特徴とする遊技機。
【請求項６】
操作者が携帯し得るとともに、振動検出手段を有効状態又は無効状態に切り替えさせる指示信号を無線にて前記受信手段に対して送信可能な送信手段を具備したことを特徴とする請求項５記載の遊技機。
【請求項７】
前記遊技機本体前の遊技者の有無を検知する遊技者検知手段を具備するとともに、前記振動検出手段が有効状態であり、且つ、当該遊技者検知手段による遊技者の検知がある場合に限り、前記報知手段による報知がなされることを特徴とする請求項５又は請求項６記載の遊技機。
【発明の詳細な説明】
【技術分野】
【０００１】
本発明は、遊技機本体に付与された振動を検出する振動検出手段を具備した遊技機に関するものである。
【背景技術】
【０００２】
パチンコ遊技機においては、例えば遊技機本体を叩いたり揺すったりして遊技球の軌跡を変化させる所謂ドツキと称される不正な行為を検出すべく、従来より、外部から付与される衝撃に基づく振動を検出可能な振動検出手段を具備したものが提案されている（例えば、特許文献１参照）。しかし、かかるパチンコ遊技機においては、不正行為による振動に加え、保守点検時など正規な行為においても振動を検出してしまうため、振動を検出したことを報知させるように構成した場合、誤報知が頻繁に行われてしまうという不具合がある。
【０００３】
これに対し、パチンコ遊技機における前枠、ガラス枠または上皿支持板の開放を検出し得るよう構成するとともに、当該前枠等の開放が検出されると、振動検出手段が無効化され、振動を検出しない状態とすることにより、保守点検時など正規の作業において前枠などが開放された場合、不用意に振動を付与してしまっても報知（誤報知）を回避できるものも提案されている（例えば、特許文献２参照）。
【特許文献１】特開２００２−９０１号公報
【特許文献２】特公平６−８５８１６号公報
【発明の開示】
【発明が解決しようとする課題】
【０００４】
しかしながら、上記従来の遊技機においては、前枠等が開放されたことを条件として振動検出手段を無効化しているため、誤報知を抑制するには不十分であるという問題があった。即ち、通常、保守点検時など正規の作業において前枠を開放するには、まず、当該前枠を施錠した施錠手段の鍵穴に鍵を挿入して解錠操作する必要がある。然るに、その解錠操作時において遊技機本体に不用意に振動が付与されてしまう可能性があり、その場合、不正な行為に基づく振動の検出でないにも拘わらず報知手段による報知がなされてしまうという問題があった。
【０００５】
本発明は、このような事情に鑑みてなされたもので、不正な行為に基づく振動の検出でないにも拘わらず報知がなされてしまうといった誤報知を確実に回避することができる遊技機を提供することにある。
【課題を解決するための手段】
【０００６】
請求項１記載の発明は、遊技領域を有する遊技機本体と、該遊技機本体の遊技領域前面を覆うとともに開閉可能に配設された前枠と、鍵を挿入し得る鍵穴を有するとともに、前記前枠を前記遊技機本体に対して施錠及び解錠し得る施錠手段と、前記遊技機本体に付与された振動を検出する振動検出手段と、前記振動検出手段による検出に基づき所定の報知を行う報知手段とを具備した遊技機において、前記施錠手段の鍵穴への鍵の挿入状態を検知する鍵検知手段と、該鍵検知手段にて鍵の挿入状態が検知されている間に限り、前記報知手段による報知を禁止する禁止手段とを備えたことを特徴とする。
【０００７】
請求項２記載の発明は、請求項１記載の遊技機において、前記鍵検知手段は、鍵穴に挿入された鍵を非接触にて検知する非接触型センサから成ることを特徴とする。
【０００８】
請求項３記載の発明は、請求項１又は請求項２記載の遊技機において、前記鍵検知手段による鍵の挿入状態の検知がなくなった時点からの経過時間を測定するタイマ手段を具備するとともに、該タイマ手段が所定時間の経過を測定するまで前記禁止手段による報知の禁止を継続させることを特徴とする。
【０００９】
請求項４記載の発明は、請求項１〜請求項３の何れか１つに記載の遊技機において、前記遊技機本体前の遊技者の有無を検知する遊技者検知手段を具備するとともに、前記鍵検知手段による鍵の挿入状態が検知されず、且つ、当該遊技者検知手段による遊技者の検知がある場合に限り、前記報知手段による報知がなされることを特徴とする。
【００１０】
請求項５記載の発明は、遊技領域を有する遊技機本体と、該遊技機本体の遊技領域前面を覆うとともに開閉可能に配設された前枠と、鍵を挿入し得る鍵穴を有するとともに、前記前枠を前記遊技機本体に対して施錠及び解錠し得る施錠手段と、前記遊技機本体に付与された振動を検出する振動検出手段と、該振動検出手段による検出に基づき所定の報知を行う報知手段とを具備した遊技機において、前記遊技機本体外部からの指示信号を受信し得る受信手段と、該受信手段で受信した指示信号に基づき、前記振動検出手段を有効状態又は無効状態に切り替える切替手段とを備え、当該切替手段にて振動検出手段が無効状態とされている間に限り、前記報知手段による報知を禁止することを特徴とする。
【００１１】
請求項６記載の発明は、請求項５記載の遊技機において、操作者が携帯し得るとともに、振動検出手段を有効状態又は無効状態に切り替えさせる指示信号を無線にて前記受信手段に対して送信可能な送信手段を具備したことを特徴とする。
【００１２】
請求項７記載の発明は、請求項５又は請求項６記載の遊技機において、前記遊技機本体前の遊技者の有無を検知する遊技者検知手段を具備するとともに、前記振動検出手段が有効状態であり、且つ、当該遊技者検知手段による遊技者の検知がある場合に限り、前記報知手段による報知がなされることを特徴とする。
【発明の効果】
【００１３】
請求項１の発明によれば、施錠手段における鍵穴への鍵の挿入状態を検出して報知手段による報知を禁止するので、店員などによる当該施錠手段の施錠及び解錠操作時に振動が付与されても報知手段による報知がなされず、不正な行為に基づく振動の検出でないにも拘わらず報知がなされてしまうといった誤報知を確実に回避することができる。
【００１４】
請求項２の発明によれば、鍵検知手段が鍵穴に挿入された鍵を非接触にて検知する非接触型センサから成るので、鍵穴に挿入された鍵を回動操作等する場合に鍵検知手段との間で摩擦等が生じてしまうのを回避できる。
【００１５】
請求項３の発明によれば、タイマ手段が所定時間の経過を測定するまで禁止手段による報知の禁止を継続させるので、例えば前枠を施錠した後、施錠状態を確認する場合などにおいて不用意な振動が付与されても、所定時間内であれば報知手段による報知がなされず、誤報知を更に確実に回避することができる。
【００１６】
請求項４の発明によれば、鍵検知手段による鍵の挿入状態が検知されず、且つ、遊技者検知手段による遊技者の検知がある場合に限り、報知手段による報知がなされるので、遊技機本体前に遊技者がおらず不正行為による振動が付与されないことが明らかな状態においては報知手段による報知が防止されることとなり、誤報知を更に確実に回避することができる。
【００１７】
請求項５の発明によれば、受信手段で受信した指示信号に基づき切替手段にて振動検出手段を有効状態又は無効状態に切り替えるとともに、当該切替手段にて振動検出手段が無効状態とされている間に限り、前記報知手段による報知を禁止するので、不正な行為に基づく振動の検出でないにも拘わらず報知がなされてしまうといった誤報知を確実に回避することができる。
【００１８】
請求項６の発明によれば、操作者が携帯し得る送信手段から無線にて指示信号を受信手段に送信し、振動検出手段を有効状態又は無効状態に切り替えさせ得るので、店員などの操作者による任意タイミングにて振動検出手段を無効状態とすることができ、不正な行為に基づく振動の検出でないにも拘わらず報知がなされてしまうといった誤報知を更に確実に回避することができる。
【００１９】
請求項７の発明によれば、振動検出手段が有効状態であり、且つ、遊技者検知手段による遊技者の検知がある場合に限り、報知手段による報知がなされるので、遊技機本体前に遊技者がおらず不正行為による振動が付与されないことが明らかな状態においては報知手段による報知が防止されることとなり、誤報知を更に確実に回避することができる。
【発明を実施するための最良の形態】
【００２０】
以下、本発明の実施形態について図面を参照しながら具体的に説明する。
第１の実施形態に係るパチンコ遊技機は、図１〜図６に示すように、遊技機本体１と、前枠３と、施錠手段７と、振動検出手段８と、報知手段としての振動報知ランプ１２、スピーカ１３及び表示手段１４と、遊技者検知手段１５と、禁止手段１６と、タイマ手段１７とから主に構成されている。
【００２１】
遊技機本体１には、遊技領域を形成する遊技盤２が正面側に配設されるとともに、背面側には図６に示す如き主基板１０及びサブ基板１１などが配設されている。主基板１０は、パチンコ遊技機全般に亘る遊技内容を制御するためのものであり、サブ基板１１と電気的に接続されている。サブ基板１１は、パチンコ遊技機が具備するランプ（振動報知ランプ１２含む）や表示手段（図柄表示手段など）１４或いはスピーカ１３等と電気的に接続され、これらを制御するためのものである。
【００２２】
また、遊技盤２の遊技領域には、図柄表示手段などから成る表示手段１４、所定の役物や入賞口（大入賞口など）、または複数の釘或いは風車等（不図示）が形成されており、ハンドル５の操作により発射された遊技球が、その軌跡を変化させつつ落下し得るようになっている。かかるハンドル５は、遊技者が把持しつつ回動操作するためのものであり、回動操作により図示しない発射装置を駆動させて遊技球を発射させ得るよう構成されている。
【００２３】
前枠３は、遊技機本体１の遊技領域前面を覆うとともに開閉可能に配設されたものであり、当該遊技領域を視認させ得るガラス板４、遊技球を発射させ得るハンドル５、賞球などを受け得る受け皿６と、及び施錠手段７などが形成されている。しかして、前枠３は、上下一対の支持部Ｌにて遊技機本体１に対して開閉自在に支持されており、通常の遊技中においては、前枠３は閉じられる一方、保守点検時或いは遊技領域に引っ掛かった遊技球を取り除く等の必要時には、開放され得るよう構成されている。
【００２４】
施錠手段７は、図３に示すように、鍵Ｋを挿入し得る鍵穴７ａを有するとともに、前枠３を遊技機本体１に対して施錠及び解錠し得るものである。即ち、施錠手段７は、前枠３が閉じられた状態にて施錠して遊技機本体１に対する開放を規制するとともに、鍵Ｋを鍵穴７ａに挿入した後、回動操作することにより解錠し、当該前枠３を開放可能とし得るよう構成されている。
【００２５】
振動検出手段８は、遊技機本体１に付与された振動を検出するためのもので、例えば圧電素子及び金属板等を内部に有して衝撃を電気信号に変換して検知する衝撃センサ等から成るとともに、図２に示すように、遊技盤２の背面側における所定部位に固定されている。尚、振動検出手段８は、遊技機本体１に付与された振動を検出し得れば足り、その形態や配設部位などは何れであってもよい。
【００２６】
報知手段は、振動検出手段８による検出に基づき所定の報知を行うものであり、本実施形態においては、例えば振動報知ランプ１２、スピーカ１３及び表示手段１４から構成されている。振動報知ランプ１２は、前枠３の正面側に形成されたもので、振動が検出されたことに基づき点灯又は点滅して遊技者に注意を促し或いは周囲の店員等に報知し得るものである。
【００２７】
他の報知手段としてのスピーカ１３及び表示手段１４は、振動が検出されたことに基づき例えば音声や効果音などを発生、或いは警告等を表示させ得るものである。これらスピーカ１３及び表示手段１４は、遊技内容に応じて所定の効果音等を発するスピーカ、或いは遊技内容に応じて変動表示またはキャラクタの表示を行わせる表示手段と兼用させるのが好ましい。尚、報知手段は、振動報知ランプ１２、スピーカ１３及び表示手段１４の何れか１つ或いは任意いずれかの組み合わせであってもよく、これらに代えて振動の検出に基づき他の報知（例えば管理室への通報など）を行わせるものとしてもよい。
【００２８】
鍵検知手段９は、施錠手段７の鍵穴７ａへの鍵Ｋの挿入状態を検知するものであり、例えば図４に示すように、発光素子９ａ及び受光素子９ｂから成るフォトセンサ（非接触型センサ）等から構成されている。即ち、鍵Ｋが鍵穴７ａに挿入されていない状態（同図の状態）においては、発光素子９ａから照射された光が受光素子９ｂにて受光される一方、図５に示すように、鍵Ｋが鍵穴７ａに挿入されると、発光素子９ａからの光が遮断されて受光素子９ｂにて受光しなくなるため、これを検知することにより鍵Ｋの挿入状態が検知できるのである。
【００２９】
遊技者検知手段１５は、遊技機本体１前の遊技者の有無を検知するためのものであり、例えば遊技機本体１から赤外線を照射し得る赤外線センサにて直接遊技者の有無を検知するもの、或いはハンドル５に形成された接触センサに人が触れているか否かを検知することにより間接的に遊技者の有無を検知するもの等から成る。尚、当該接触センサは、ハンドル５に形成されて当該ハンドル５を把持しているか否かを検知し得る現在のパチンコ遊技機において汎用的に配設されたものであり、遊技者の把持を検知しなければ遊技球が発射されないよう構成されている。
【００３０】
上記した鍵検知手段９、振動検出手段８、振動報知ランプ１２、スピーカ１３、表示手段１４及び遊技者検知手段１５は、何れもサブ基板１１と電気的に接続されているとともに、当該サブ基板１１には、禁止手段１６及びタイマ手段１７が形成されている。禁止手段１６は、鍵検知手段９にて鍵の挿入状態が検知されている間に限り、報知手段（振動報知ランプ１２、スピーカ１３及び表示手段１４）による報知を禁止するためのものである。
【００３１】
即ち、施錠手段７における鍵穴７ａへの鍵Ｋの挿入状態を検出して報知手段による報知を禁止するので、店員などによる当該施錠手段７の解錠操作時に振動が付与されても報知手段による報知がなされず、不正な行為に基づく振動の検出でないにも拘わらず報知がなされてしまうといった誤報知を確実に回避することができるのである。尚、鍵検知手段９による鍵Ｋの挿入状態の検知がない通常の状態においては、振動検出手段８が振動を検出すると報知手段による報知が行われるので、例えば遊技機本体１を叩いたり揺すったりして遊技球の軌跡を変化させる所謂ドツキと称される不正な行為を検出することができる。
【００３２】
タイマ手段１７は、鍵検知手段９による鍵Ｋの挿入状態の検知がなくなった時点からの経過時間を測定するためのもので、測定された経過時間は禁止手段１６に送信されるようになっている。然るに、タイマ手段１７が所定時間の経過を測定するまで、禁止手段１６による報知の禁止を継続させるよう構成されている。これにより、例えば前枠３を施錠した後、施錠状態を確認する場合などにおいて不用意な振動が付与されても、所定時間内であれば報知手段による報知がなされず、誤報知を更に確実に回避することができる。
【００３３】
更に、本実施形態においては、鍵検知手段９による鍵Ｋの挿入状態が検知されず、且つ、遊技者検知手段１５による遊技者の検知がある場合に限り、報知手段による報知がなされるよう構成されている。即ち、鍵検知手段９が鍵Ｋの挿入状態が検知されず、振動検出手段８が振動を検出しても、遊技者検知手段１５が遊技者の検知をしない場合には、報知がされないようになっているのである。従って、遊技機本体１前に遊技者がおらず不正行為による振動が付与されないことが明らかな状態においては報知手段による報知が防止されることとなり、誤報知を更に確実に回避することができる。
【００３４】
次に、上記実施形態に係るパチンコ遊技機における振動検出のための制御内容（特にタイマ手段１７の制御内容）について、図７のフローチャートに基づいて説明する。
パチンコ遊技機に対して電源投入されると、鍵検知手段９がオン（鍵Ｋが施錠手段７に対して挿入状態であることを検知した状態）であるか否かを判定し（Ｓ１）、オンである場合はＳ２へ、オフ（鍵Ｋが施錠手段７に対して挿入状態であることを検知しない状態）である場合は、Ｓ２をスキップしてＳ３へ進む。当該Ｓ２では、タイマ手段１７において所定値をセット（例えば「１０」をセット）することとなる。
【００３５】
Ｓ３は、振動検出手段８がオン（振動検出手段８が振動を検出した状態）であるか否かを禁止手段１６判定し、オンである場合はＳ４へ進み、オフ（振動検出手段８が振動を検出しない状態）である場合は、Ｓ４及びＳ５をスキップしてＳ６へ進む。Ｓ４では、タイマ手段１７の値が「０」であるか否かが判定され、「０」の場合はＳ５へ進んで報知手段による報知がなされる（より具体的には、遊技者検知手段１５による遊技者の検知がある場合に限る）とともに、「０」でない場合はＳ５をスキップしてＳ６へ進む。当該Ｓ６では、タイマ手段１７の値から１を減算し、その後、Ｓ１へ戻って上述した一連の制御がなされることとなる。これにより、施錠手段７から鍵Ｋが抜かれた後、タイマ手段１７が所定時間（セットした所定値「１０」が減算されて「０」となるまで）の経過を測定するまで禁止手段１６による報知の禁止を継続させることができる。
【００３６】
また、施錠手段７における鍵穴７ａへの鍵Ｋの挿入状態を検出して報知手段による報知を禁止するので、店員などによる当該施錠手段７の解錠操作時に振動が付与されても報知手段による報知がなされず、不正な行為に基づく振動の検出でないにも拘わらず報知がなされてしまうといった誤報知を確実に回避することができる。更に、鍵検知手段９が鍵穴７ａに挿入された鍵Ｋを非接触にて検知する非接触型センサ（フォトセンサ）から成るので、鍵穴７ａに挿入された鍵Ｋを回動操作等する場合に鍵検知手段９との間で摩擦等が生じてしまうのを回避できる。
【００３７】
また、鍵検知手段９は、本実施形態の如く非接触型センサに限定されず、例えば図８及び図９で示すような接触型センサとしてもよい。かかる接触型センサは、例えばマイクロスイッチ９’から成り、施錠手段７の鍵穴７ａの略延長線上に設けられたもので、図９に示すように、鍵Ｋが鍵穴７ａに挿入されると、その先端がマイクロスイッチ９’の作動部を押圧することにより、鍵Ｋの挿入状態を検知するものである。
【００３８】
次に、本発明に係る第２の実施形態について説明する。
本実施形態に係るパチンコ遊技機は、図１に示すように、上記第１の実施形態に係るものと外観が略同等なもの（遊技機本体１と、遊技領域を有した遊技盤２と、ガラス板４、ハンドル５、受け皿６及び施錠手段７を具備した前枠３とを主に有したもの）から成るとともに、図１０に示すように、主基板１０及びサブ基板１１を具備したものである。尚、第１の実施形態と同様の構成要素には、同一の符号を付し、その詳細な説明を省略する。
【００３９】
サブ基板１１は、振動検出手段８と、報知手段としての振動報知ランプ１２、スピーカ１３及び表示手段１４と、遊技者検知手段１５と電気的に接続されるとともに、当該サブ基板１１には受信手段１９及び切替手段２０が形成されている。このうち受信手段１９は、遊技機本体１外部の送信手段１８から電波にて送信された指示信号を受信し得るもので、切替手段２０と電気的に接続されている。
【００４０】
具体的には、送信手段１８は、例えば店員などの操作者が携帯し得るリモコン等から成るとともに、振動検出手段８を有効状態又は無効状態に切り替えさせる指示信号を無線にて受信手段１９に対して送信可能なものである。切替手段２０は、受信手段１９で受信した指示信号に基づき、振動検出手段８を有効状態又は無効状態に切り替えるためのもので、当該切替手段２０により振動検出手段８が無効状態とされると、遊技機本体１に対して振動が付与されても、その振動を検出しない状態（例えば非通電状態）とされるとともに、有効状態とされると、当該振動を検出し得る状態（例えば通電状態）とされる。
【００４１】
これにより、受信手段１９で受信した指示信号に基づき切替手段２０にて振動検出手段８を有効状態又は無効状態に切り替えるとともに、当該切替手段２０にて振動検出手段８が無効状態とされている間に限り、報知手段による報知を禁止するので、例えば保守点検時など正規の作業において予め無効状態としておけば、不正な行為に基づく振動の検出でないにも拘わらず報知がなされてしまうといった誤報知を確実に回避することができる。
【００４２】
また、例えば送信手段１８によるリモコン操作にて遠隔で振動検出手段８を有効状態又は無効状態とし得るので、店員等が任意の必要時（例えば前枠３を開放しようとする前など）に振動検出手段８を無効状態とし、且つ、任意の必要時（例えば前枠３を閉じて施錠した後など）に振動検出手段８を有効状態とすることができ、スムーズな切替作業を行わせることができる。
【００４３】
尚、送信手段１８は、単独で機能するリモコンの他、例えば施錠手段７による施錠及び解錠を行わせる鍵Ｋの把持部等に形成するようにしてもよい。また、送信手段１８は、無線によって受信手段１９へ指示信号の送信を行うものに限らず、例えば赤外線など他の遠隔操作可能な送信手段であってもよく、或いは管理室等から有線にて指示信号を送信するものであってもよい。
【００４４】
また、本実施形態におけるパチンコ遊技機には、第１の実施形態と同様、遊技者検知手段１５が配設されており、振動検出手段８が有効状態であり、且つ、遊技者検知手段１５による遊技者の検知がある場合に限り、報知手段による報知がなされるよう構成されている。従って、遊技機本体１前に遊技者がおらず不正行為による振動が付与されないことが明らかな状態においては報知手段による報知が防止されることとなり、誤報知を更に確実に回避することができる。
【００４５】
以上、実施形態について説明したが、本発明はこれらに限定されず、例えば遊技者検知手段１５に代えて、遊技機本体１前の遊技者の有無を検知し得る他の手段としてもよく、或いは当該遊技者検知手段１５を配設しないもの（報知手段による報知が遊技者の有無を条件としないもの）としてもよい。また、パチンコ遊技機は、前枠に上皿と下皿に分割構成されたもの等、他の形態のものであってもよい。更に、本実施形態においてはパチンコ遊技機に適用されているが、パチスロ遊技機など他の遊技機に適用することができる。
【産業上の利用可能性】
【００４６】
鍵検知手段にて鍵の挿入状態が検知されている間に限り、報知手段による報知を禁止する遊技機、或いは切替手段にて振動検出手段が無効状態とされている間に限り、報知手段による報知を禁止する遊技機であれば、外観形状が異なるもの或いは他の機能が付加されたもの等にも適用することができる。
【図面の簡単な説明】
【００４７】
【図１】本発明の第１の実施形態に係るパチンコ遊技機を示す外観図
【図２】同パチンコ遊技機における遊技盤の背面を示す模式図
【図３】同パチンコ遊技機における施錠手段及びその鍵穴に挿入される鍵を示す模式図
【図４】同パチンコ遊技機における施錠手段（鍵が挿入されない状態）及び鍵検知手段を示す断面模式図
【図５】同パチンコ遊技機における施錠手段（鍵が挿入された状態）及び鍵検知手段を示す断面模式図
【図６】同パチンコ遊技機における主基板及びサブ基板と他の構成要素との接続状態を示すブロック図
【図７】同パチンコ遊技機における振動検出のための制御内容（特にタイマ手段１７の制御内容）を示すフローチャート
【図８】本発明に係る他の実施形態における施錠手段（鍵が挿入されない状態）及び鍵検知手段を示す断面模式図
【図９】同他の実施形態における施錠手段（鍵が挿入された状態）及び鍵検知手段を示す断面模式図
【図１０】本発明に係る第２の実施形態に係るパチンコ遊技機の主基板及びサブ基板と他の構成要素との接続状態を示すブロック図
【符号の説明】
【００４８】
１    遊技機本体
２    遊技盤（遊技領域）
３    前枠
４    ガラス板
５    ハンドル
６    受け皿
７    施錠手段
７ａ  鍵穴
８    振動検出手段
９、９’  鍵検知手段
１０  主基板
１１  サブ基板
１２  振動報知ランプ
１３  スピーカ
１４  表示手段
１５  遊技者検知手段
１６  禁止手段
１７  タイマ手段
１８  送信手段
１９  受信手段
２０  切替手段
Ｋ    鍵
【図１】
2007151792.tif 000003
【図２】
2007151792.tif 000004
【図３】
2007151792.tif 000005
【図４】
2007151792.tif 000006
【図５】
2007151792.tif 000007
【図６】
2007151792.tif 000008
【図７】
2007151792.tif 000009
【図８】
2007151792.tif 000010
【図９】
2007151792.tif 000011
【図１０】
2007151792.tif 000012